(57)【要約】【課題】フィルム包装袋内のティッシュペーパー束が片寄ったり、よれたりしないようにする。【解決手段】２枚一組のティッシュペーパー２が上下のティッシュペーパー２，２と折り重ねられた状態で重畳されるとともに、このティッシュペーパー束２Ａが長手方向に沿ってミシン目３ａが形成されたフィルム包装袋３内に収容された携帯用ティッシュ１において、前記フィルム包装袋３内に復元性を有する可撓性シート５を内挿する。前記可撓性シート５はティッシュペーパー束２Ａの上面側に挿入されるとともに、ミシン目３ａ対応部位にティッシュ取出し用の開口５ａを有するものとし、厚みは０．０８〜１．０ｍｍの合成紙か厚地プラスチックフィルムを使用する。【選択図】  図１
2004224363.tif 000002
【特許請求の範囲】
【請求項１】
２枚一組のティッシュペーパーが上下のティッシュペーパーと折り重ねられた状態で重畳されるとともに、このティッシュペーパー束が長手方向に沿ってミシン目が形成されたフィルム包装袋内に収容された携帯用ティッシュにおいて、
前記フィルム包装袋内に復元性を有する可撓性シートを内挿したことを特徴とする携帯用ティッシュ。
【請求項２】
前記可撓性シートは、合成紙、厚地プラスチックフィルム等のシート材である請求項１記載の携帯用ティッシュ。
【請求項３】
前記可撓性シートは、その厚み寸法が０．０８〜１．０ｍｍである請求項１、２いずれかに記載の携帯用ティッシュ。
【請求項４】
前記可撓性シートはティッシュペーパー束の上面側に挿入されるとともに、ミシン目対応部位にティッシュ取出し用の開口を有する請求項１〜３いずれかに記載の携帯用ティッシュ。
【請求項５】
前記可撓性シートはティッシュペーパー束の下面側に挿入されている請求項１〜３いずれかに記載の携帯用ティッシュ。
【請求項６】
前記可撓性シートの長手寸法はティッシュペーパー束の長手寸法の８０〜１１０％とし、短手寸法はティッシュペーパー束の短手寸法の８０〜１１０％としてある請求項１〜５いずれかに記載の携帯用ティッシュ。
【請求項７】
前記フィルム包装袋は少なくとも一方の短辺がわ側縁部分にシール封鎖部を有し、このシール封鎖部に吊下げ用の開孔が形成されている請求項１〜６いずれかに記載の携帯用ティッシュ。
【請求項８】
前記携帯用ティッシュを内包するとともに、前記フィルム包装袋のミシン目対応部位にミシン目が形成され、かつ上部に吊下げ用開孔が形成された外装袋を備えている請求項１〜６いずれかに記載の携帯用ティッシュ。
【請求項９】
前記携帯用ティッシュを内包するとともに、ミシン目が形成され、かつ上部に吊下げ用開孔が形成された外装袋を備えるとともに、該外装袋のミシン目位置は前記フィルム包装袋のミシン目位置より一方の長手方向側縁側に、外装袋短辺寸法の８〜３０％ずれた位置に形成されている請求項１〜６いずれかに記載の携帯用ティッシュ。
【発明の詳細な説明】
【０００１】
【発明の属する技術分野】
本発明は、特には鼻炎、花粉症、旅行等のある程度の使用量が必要とされる際に、使用に供されるパック包装の携帯用ティッシュに関する。
【０００２】
【従来の技術】
現在、ティッシュペーパーは使用者の便宜に供するように、種々の形態で市場に提供されている。最も多いのは、ボックス型とポケット型である。前者のボックス型は、上面に取出口を有する紙箱内に、通常は２００組（４００枚）のティッシュペーパーを折り重ねた状態で収容したもので、後者のポケット型は概ね縦７０〜８０ｍｍ、横１１０〜１２０ｍｍのサイズのポリエチレン包装袋内に１０〜１５組程度のティッシュペーパーを折り重ねた状態（以下、ティッシュペーパー束という。）で収容したものである。
【０００３】
近年、これらボックス型とポケット型に加え、中間サイズのパック包装された携帯用ティッシュ（以下、ハンディ型という。）が市場に提供されるようになってきた。このハンディ型携帯ティッシュは、主には鼻炎、花粉症、旅行等のある程度の使用量が必要とされる際、使用に供されるもので、図８に示されるように、幅方向中心位置に長手方向に沿って１本のミシン目５０ａが形成されたポリエチレン又はポリプロピレン等のフィルム包装袋５０内に約５０組程度のティッシュペーパー束５１Ａを収容し、短辺側の２側縁５２，５２をそれぞれシール封鎖したもので、平面サイズはほぼ前記ボックス型と同程度のサイズを有する。なお、前記ハンディ型携帯用ティッシュは、主にはハンドバック、鞄等のバッグ内に収容した状態で携帯されるものである。
【０００４】
【発明が解決しようとする課題】
しかしながら、従来のハンディ型携帯用ティッシュをバッグ内に縦向きで収容したり、ティッシュペーパーが少なくなると、収容されたティッシュペーパー束が片寄ったり、よれたりすることがあるとともに、また、フックに吊り下げた状態で使用する場合にも、収容されたティッシュペーパー束がよれたり、下側に移動したりして、ティッシュペーパーが取り出し難くなるなどの問題があった。
【０００５】
そこで本発明の主たる課題は、フィルム包装袋内のティッシュペーパー束が片寄ったり、よれたりしないようにした携帯用ティッシュを提供することにある。
【０００６】
【課題を解決するための手段】
前記課題を解決するために請求項１に係る本発明として、２枚一組のティッシュペーパーが上下のティッシュペーパーと折り重ねられた状態で重畳されるとともに、このティッシュペーパー束が長手方向に沿ってミシン目が形成されたフィルム包装袋内に収容された携帯用ティッシュにおいて、
前記フィルム包装袋内に復元性を有する可撓性シートを内挿したことを特徴とする携帯用ティッシュが提供される。
【０００７】
請求項２に係る本発明として、前記可撓性シートは、合成紙、厚地プラスチックフィルム等のシート材である請求項１記載の携帯用ティッシュが提供される。
【０００８】
請求項３に係る本発明として、前記可撓性シートは、その厚み寸法が０．０８〜１．０ｍｍである請求項１、２いずれかに記載の携帯用ティッシュが提供される。
【０００９】
請求項４に係る本発明として、前記可撓性シートはティッシュペーパー束の上面側に挿入されるとともに、ミシン目対応部位にティッシュ取出し用の開口を有する請求項１〜３いずれかに記載の携帯用ティッシュが提供される。
【００１０】
請求項５に係る本発明として、前記可撓性シートはティッシュペーパー束の下面側に挿入されている請求項１〜３いずれかに記載の携帯用ティッシュが提供される。
【００１１】
請求項６に係る本発明として、前記可撓性シートの長手寸法はティッシュペーパー束の長手寸法の８０〜１１０％とし、短手寸法はティッシュペーパー束の短手寸法の８０〜１１０％としてある請求項１〜５いずれかに記載の携帯用ティッシュが提供される。
【００１２】
上記請求項１〜６記載の本発明においては、フィルム包装袋内に復元性を有する可撓性シートを内挿したため、フィルム包装袋の形状及び収容されたティッシュペーパー束の形状が保持されるようになるため、ティッシュペーパーの片寄りやヨレを効果的に防止することが可能となる。
【００１３】
請求項７に係る本発明として、前記フィルム包装袋は少なくとも一方の短辺がわ側縁部分にシール封鎖部を有し、このシール封鎖部に吊下げ用の開孔が形成されている請求項１〜６いずれかに記載の携帯用ティッシュが提供される。
【００１４】
請求項８に係る本発明として、前記携帯用ティッシュを内包するとともに、前記フィルム包装袋のミシン目対応部位にミシン目が形成され、かつ上部に吊下げ用開孔が形成された外装袋を備えている請求項１〜６いずれかに記載の携帯用ティッシュが提供される。
【００１５】
上記請求項７、８記載の本発明の場合には、フック等に吊下げ用開孔を掛止することにより、本携帯用ティッシュを吊り下げた状態で使用可能となる。
【００１６】
請求項９に係る本発明として、前記携帯用ティッシュを内包するとともに、ミシン目が形成され、かつ上部に吊下げ用開孔が形成された外装袋を備えるとともに、該外装袋のミシン目位置は前記フィルム包装袋のミシン目位置より一方の長手方向側縁側に、外装袋短辺寸法の８〜３０％ずれた位置に形成されている請求項１〜６いずれかに記載の携帯用ティッシュが提供される。
【００１７】
上記請求項９記載の本発明においては、上部に吊下げ用開孔が形成された外装袋のミシン目がフィルム包装袋のミシン目位置より一方の長手方向側縁側に、外装袋短辺寸法の８〜３０％ずれた位置に形成されているので、本携帯用ティッシュを吊下げた状態で使用可能になるばかりでなく、双方のミシン目がずれているため、フィルム包装袋を開封後、ティッシュを外装袋内にしまうことが可能になり、埃や塵等が入るのを阻止し衛生的な状態を保つことができる。
【００１８】
【発明の実施の形態】
以下、本発明の実施の形態について図面を参照しながら詳述する。
（第１形態例）
図１は携帯用ティッシュ１の斜視図、図２は図１のＩＩ−ＩＩ線矢視図、図３は平面図である。
【００１９】
図１に示されるように、携帯用ティッシュ１は、２枚一組のティッシュペーパー２が上下に積み重ねられるティッシュペーパー２、２と折り重ねられた状態で重畳されたティッシュペーパー束２Ａが、プラスチック製のフィルム包装袋３内に収容されたものである。なお、同図では包装形態は、開口側短辺４，４の２辺をシール封鎖する２辺シール包装（以下、ピロー包装ともいう。）が採用されている。前記重畳されたティッシュペーパー束２Ａは、１０〜５０ｍｍ程度の厚みとされ、フィルム包装袋３は、収容されるティッシュペーパー束２Ａがヨレや型崩れを起こし難いように、好ましくは厚みが５０〜１００μｍとされ、従来のフィルム包装袋からすればかなり厚手のものが使用されている。素材はポリエチレン又はポリプロピレンなどを好適に使用することができる。
【００２０】
前記フィルム包装袋３の表面にはミシン目３ａが形成されており、使用時には前記ミシン目３ａを開封し（以降、取出口３ａともいう。）、最上部のティッシュペーパー２を取り出すと、次のティッシュペーパー２が取り出し易いように取出口３ａよりその一部が突出する、所謂ポップアップ方式が採用されている。
【００２１】
前記ティッシュペーパー２の重畳構造としては、ボックスタイプなどで採用されている一般的な２つ折りの他、３つ折り（Ｚ折り又は変形Ｚ折り）などがある。前記２つ折り重畳構造は、図５に示されるように、各ティッシュペーパー２が略中央線を折り目として約半分に折り畳まれ、ティッシュペーパー２を１枚づつ交互に対向させ、上側に重ね合わされるティッシュペーパーの下側部分２ａと下側に重ね合わされるティッシュペーパーの上側部分２ｂとを順次重ね合わせて成る重畳構造である。前記３つ折りは、主にウェットティッシュなどに採用されている重畳構造で、例えば図６に示されるように、各ティッシュペーパー２がほぼ中央部を折り目として折り畳まれるとともに、これら両折り畳み片の一方側片において、そのほぼ中央部を折り目としてさらに先端側が反対側に折り返されることにより断面不等辺Ｚ状に折り畳まれ、前記不等辺Ｚ形状を構成する各面のうち、辺長の最も長い部分を上部分２ｂ、この上部分に隣接する中間を中部分２ｃ、残りを下部分２ｄとして、下側に重ね合わされるティッシュペーパー２の前記上部分２ｂのほぼ先端側半分が、上側に重ね合わされるティッシュペーパー２の前記上部分２ｂと中部分２ｃとによって挟まれながら、順次ティッシュペーパー２が積み重ねられている重畳構造や、図７に示されるように、中央線を折り目として約半分に折り畳まれた第１ティッシュペーパー２と、外側部分がそれぞれ反対面側に折り返され断面Ｚ状とされる第２ティッシュペーパー２’とが積層方向に交互に配列されるとともに、前記第１ティッシュペーパー２の上側部分２ｂのほぼ先端側半分が前記第２ティッシュペーパー２’の断面Ｚ形状を構成する下側の折返し部分２ｇと中間部分２ｆとの間に挟まれ、かつ前記第１ティッシュペーパー２の下側部分２ａのほぼ先端側半分が前記第２ティッシュペーパー２’の断面Ｚ形状を構成する上側折返し部分２ｅと中間部分２ｆとに挟まれながら順次積み重ねられている重畳構造などを挙げることができる。
【００２２】
本携帯用ティッシュ１では、図２にも示されるように、フィルム包装袋３の内部に復元性を有する可撓性シート５が内挿され、収容されたティッシュペーパー束２Ａの片寄りやヨレを防止するようにしている。図示の例では、ティッシュペーパー束２Ａの上面側に挿入されるとともに、ミシン目３ａの対応部位にはティッシュ取出し用の開口５ａを有するものが使用されている。前記可撓性シート５としては、例えば合成紙、厚地プラスチックフィルム等が好適に使用される。これらのシート材は、携帯用ティッシュ１を折ってバッグに入れたとしても、或いはバッグ内の収容物によって携帯用ティッシュ１が折れたとしても、バッグから取り出した際には元の平面形態に復元するため、本発明の可撓性シート５として好適に用いることができる。
【００２３】
前記合成紙、厚地プラスチックフィルム等のシート材は厚み寸法が０．０８〜１．０ｍｍのものが好適に使用される。厚みが０．０８ｍｍ未満の場合には、剛性が不足し、フィルム包装袋３の形状およびティッシュペーパー束の形状を保持する効果が小さく片寄りやヨレを効果的に防止することができない。また、厚みが１．０ｍｍを超える場合には、剛度が高く成りすぎて取扱いに不便を感じるようになる。なお、上記例では可撓性シート５をティッシュペーパー束２Ａの上面側に挿入したが、ティッシュペーパー束２Ａの下面側に挿入するようにしてもよい。この場合には、ティッシュ取出し用の開口５ａは不要である。
【００２４】
前記可撓性シート５の平面形状はティッシュペーパー束２Ａの平面に合わせて長方形とするのがよく、かつその長手寸法はティッシュペーパー束の長手寸法の８０〜１１０％とし、短手寸法はティッシュペーパー束の短手寸法の８０〜１１０％とするのがよい。前記ティッシュペーパー束２Ａのヨレは長手方向に沿って起こり易いため、可撓性シート５の長手寸法はティッシュペーパー２Ａの長手寸法に近似した寸法とするのが望ましい。
【００２５】
ところで、本携帯用ティッシュ１は、鼻炎、花粉症等のある程度の使用量が必要とされる際に、使用に供されるものであるため、ティッシュペーパー２は、グリセリンや多価アルコール等の保湿成分を含浸させたローション入りティッシュペーパー２とするのが望ましい。前記保湿成分はシート重量に対して５〜３０％含浸させるようにするのが望ましい。また、ティッシュペーパー２の米坪は通常通り、１０〜２５ｇ／ｍ２のものが好適に用いられる。
【００２６】
（第２形態例）
次いで、図３に示される第２形態例に係る携帯用ティッシュ１Ａは、本携帯用ティッシュをフック等に吊下げて使用可能な構造としたものである。
【００２７】
本携帯用ティッシュ１Ａも、前記第１形態例と同様に、フィルム包装袋３の内部に復元性を有する可撓性シート５が内挿され、ティッシュペーパー束２Ａの片寄りやヨレが防止されるようになっている。そして、フィルム包装体３の一方の開口側短辺４のシール部分を他方よりも幅広に形成し、このシール封鎖部４に吊下げ用の開孔４ａを形成し、キッチンや洗面所などでフック等に掛止し、吊下げできるようにしている。
【００２８】
本携帯用ティッシュ１Ａのように、吊り下げて使用する場合には、収容されたティッシュペーパー束２Ａの片寄りやヨレが一層顕著になるが、フィルム包装袋３内に前記可撓性シート５を内挿したことによってティッシュペーパー束２Ａの片寄りやヨレを防止し、最後の一枚まで安定的にティッシュペーパー２，２…を取り出しできるようになる。
【００２９】
（第３形態例）
次いで、図４に示される第３形態例に係る携帯用ティッシュ１Ｂは、吊り下げた状態で使用可能とするために、上記第１形態例で説明した携帯用ティッシュ１を内包するとともに、前記フィルム包装袋３のミシン目３ａ対応部位にミシン目５ｂが形成され、かつ上部のフラップ部分７に吊下げ用開孔７ａが形成された外装袋８を備えたものである。
【００３０】
なお、図４では外装袋８のミシン目５ｂはフィルム包装袋３のミシン目３ａに対応した位置に形成されているが、外装袋８のミシン目５ｂの位置は、前記フィルム包装袋３のミシン目３ａ位置より一方の長手方向側縁側に、該外装袋８の短辺寸法Ｌの８〜３０％ずれた位置Ｓに形成してもよい。この場合、ミシン目位置Ｓのずれが該外装袋８の短辺寸法Ｌに対して８％未満の場合には、フィルム包装袋３のミシン目３ａとのずれが少な過ぎてティッシュを外装袋８内にしまい込めず埃や塵等が付きやすくなる。また、ミシン目位置Ｓが該外装袋８の短辺寸法Ｌに対して３０％を超える場合には、フィルム包装袋３のミシン目３ａと外装袋８とのミシン目位置Ｓが離れ過ぎてティッシュが取り出し難くなる。
【００３１】
このような形態の携帯用ティッシュ１Ｂであれば、販売店における商品陳列も店頭などでフックに掛けて販売できるものとなる。なお、外装袋８は透明若しくは不透明いずれでもよく、また収容される携帯用ティッシュ１は、１つのみならず複数個であってもよい。
【００３２】
【発明の効果】
以上詳説のとおり請求項１〜９記載の本発明によれば、フィルム包装袋内のティッシュペーパー束が片寄ったり、よれたりしないようにきっちり保持できるものとなる。また、特に請求項７〜９記載の本発明の場合には、フック等に吊り下げた状態で使用可能となる。
【図面の簡単な説明】
【図１】本発明の第１形態例に係る携帯用ティッシュ１の斜視図である。
【図２】図１のＩＩ−ＩＩ線矢視図である。
【図３】第２形態例に係る携帯用ティッシュ１Ａの斜視図である。
【図４】第３形態例に係る携帯用ティッシュ１Ｂの正面図である。
【図５】ティッシュペーパー２の重畳構造（２つ折り）を示す断面図である。
【図６】ティッシュペーパー２の重畳構造（３つ折り）を示す断面図である。
【図７】ティッシュペーパー２の重畳構造（変形３つ折り）を示す断面図である。
【図８】従来のハンディ型携帯用ティッシュを示す斜視図である。
【符号の説明】
１・１Ａ・１Ｂ…携帯用ティッシュ、２…ティッシュペーパー、２Ａ…ティッシュペーパー束、３…フィルム包装袋、３ａ…ミシン目、４…開口側短辺、４ａ・７ａ…吊下げ用開孔、５…可撓性シート、８…外装袋
【図１】
2004224363.tif 000003
【図２】
2004224363.tif 000004
【図３】
2004224363.tif 000005
【図４】
2004224363.tif 000006
【図５】
2004224363.tif 000007
【図６】
2004224363.tif 000008
【図７】
2004224363.tif 000009
【図８】
2004224363.tif 000010